(57)【要約】【課題】野縁と野縁受けとを結合するクリップにおいて、簡素な構成で、クリップから野縁が外れることを防止する。【解決手段】クリップ１を、野縁受け３の上壁部３ａに載置される上部載置部１１と、上部載置部に対して略直角に曲折された支持片部１２と、支持片部の下端部に設けられかつ野縁受け４のリップ部に係止される一対の爪部１３とにより構成する。上壁部に載置した上部載置部の先端部分１１ａを折り曲げて、支持片部と先端部分との間に上壁部を挟持すると共に、タッピングねじからなる固定ねじ１８を支持片部または先端部分を貫通して野縁受けの縦壁部３ｂにねじ込む。簡素な構成でがた付きを生じ難くすることができるばかりでなく、クリップの野縁受けへの取り付けを容易に行うことができるとともに、野縁と野縁受けとのがた付きの無い固定を実現し得る。【選択図】図４
2014015799.tif 000002
【特許請求の範囲】
【請求項１】
建築構造体に支持されて略水平方向に延在する長尺形状の野縁受けの下方に、長尺形状の野縁を前記野縁受けと直交するように取り付けるためのクリップであって、
前記野縁受けは、前記建築構造体に対して垂下する面となる壁面を有する縦壁部と、前記縦壁部の上縁から前記縦壁部の壁面に直交する向きに延出された上壁部とを備え、
前記野縁は、底壁部と、前記底壁部の両側縁から上方に直角に立ち上がった一対の側壁部と、前記両側壁部の上端から互いに近接する方向に張り出した一対のリップ部とを備え、
前記クリップは、板状体により形成され、前記野縁受けの前記上壁部に載置される上部載置部と、前記野縁受けの前記縦壁部の壁面に沿うように前記上部載置部の一端で略直角に曲折されかつ前記縦壁部の下方に延出された支持片部と、前記リップ部に係止するように前記支持片部の下端部から前記上部載置部側に突出する爪部とを有し、
前記上部載置部は、前記クリップの前記野縁受け部への取り付け前の状態では前記上壁部の幅よりも長く形成され、前記野縁受けへの取り付け状態では前記上壁部を前記支持片部とともに挟むべく前記支持片部に対して略平行となるように折り曲げられる先端部分を有し、
前記支持片部及び前記先端部分の少なくとも一方に固定ねじを貫通しかつ当該固定ねじを前記縦壁部に係合して、前記クリップが前記野縁受けに固定されていることを特徴とするクリップ。
【請求項２】
前記上部載置部の前記先端部分を折り曲げる曲折線上に開口部が設けられていることを特徴とする請求項１に記載のクリップ。
【請求項３】
前記支持片部及び前記先端部分の前記固定ねじを貫通させる部分に、凹部または孔が設けられていることを特徴とする請求項１または請求項２に記載のクリップ。
【請求項４】
前記支持片部に、面強度を高めるための凸状リブが形成されていることを特徴とする請求項１乃至請求項３のいずれかに記載のクリップ。
【請求項５】
前記爪部が、Ｌ字状断面を有する形状に形成されていることを特徴とする請求項１乃至請求項４のいずれかに記載のクリップ。
【発明の詳細な説明】
【技術分野】
【０００１】
本発明は、野縁受けに野縁を結合するクリップに関する。
【背景技術】
【０００２】
鉄筋コンクリート造の建築構造物において、コンクリート等からなる天井にアンカーボルトによって複数の野縁受けを吊り下げ、野縁受けの下方に複数の野縁を結合し、野縁に内装材としての天井パネルを結合したものがある。野縁受けは、断面コ字状のチャンネル材が使用されることがある。野縁は、底壁部と、底壁部の両側縁から上方へと立ち起こされた一対の側壁部と、側壁部の上縁から互いに近接する方向に延出したリップ部とを有し、リップ部の先端部が底壁部側に屈曲し、リップ部の底壁部側にリップ溝を形成しているものがある。このような天井構造体において、野縁受けに野縁を結合するために、金属製のクリップが使用されることがある（例えば、特許文献１）。
【０００３】
特許文献１に係る構造は、チャンネル材形状の野縁受けの縦壁部の縦方向に沿う基板部と、基板部の上端部で野縁受けの上壁部に沿う向きに屈曲形成された爪片部と、基板部の下部の両側に上方に向けて屈曲形成された一対の係止片とを有するクリップと、野縁受けをクリップと共に覆うクリップ保持具とを有している。そして、クリップの下部の係止片により野縁を支持すると共に、クリップの上部の爪片部を野縁受けの上壁部を跨ぐように曲折して野縁受けにクリップを固定し、さらに、クリップ保持具を、野縁受けに固定したクリップの外部を覆う状態で野縁受けに被着している。
【先行技術文献】
【特許文献】
【０００４】
【特許文献１】特許第４７８２５３６号公報
【発明の概要】
【発明が解決しようとする課題】
【０００５】
上記特許文献１では、野縁受けに被着したクリップ保持具によりクリップの基板部及び爪片部を覆うことで、クリップの爪片部が拡開することを防止し、地震等の揺れにより爪片部の曲折形状が拡開する方向に変形して、クリップの野縁受けに対する固定状態が緩くなって、クリップが野縁受けから外れることを防止できるとしている。
【０００６】
しかしなから、特許文献１の構造では、クリップを野縁受けに固定するだけに留まらず、さらにクリップ保持具を野縁受けに被着するものであり、野縁受けに２部材を取り付けるため、構造が複雑であり、かつ作業も繁雑化するという問題がある。
【０００７】
本発明は、以上の問題を鑑みてなされたものであって、野縁と野縁受けとを結合するクリップにおいて、簡素な構成で、クリップから野縁が外れることを防止することを課題とする。
【課題を解決するための手段】
【０００８】
上記課題を解決するために、本発明は、建築構造体に支持されて略水平方向に延在する長尺形状の野縁受けの下方に、長尺形状の野縁を前記野縁受けと直交するように取り付けるためのクリップであって、前記野縁受けは、前記建築構造体に対して垂下する面となる壁面を有する縦壁部と、前記縦壁部の上縁から前記縦壁部の壁面に直交する向きに延出された上壁部とを備え、前記野縁は、底壁部と、前記底壁部の両側縁から上方に直角に立ち上がった一対の側壁部と、前記両側壁部の上端から互いに近接する方向に張り出した一対のリップ部とを備え、前記クリップは、板状体により形成され、前記野縁受けの前記上壁部に載置される上部載置部と、前記野縁受けの前記縦壁部の壁面に沿うように前記上部載置部の一端で略直角に曲折されかつ前記縦壁部の下方に延出された支持片部と、前記リップ部に係止するように前記支持片部の下端部から前記上部載置部側に突出する爪部とを有し、前記上部載置部は、前記クリップの前記野縁受け部への取り付け前の状態では前記上壁部の幅よりも長く形成され、前記野縁受けへの取り付け状態では前記上壁部を前記支持片部とともに挟むべく前記支持片部に対して略平行となるように折り曲げられる先端部分を有し、前記支持片部及び前記先端部分の少なくとも一方に固定ねじを貫通しかつ当該固定ねじを前記縦壁部に係合して、前記クリップが前記野縁受けに固定されていることを特徴とする。
【０００９】
この構成によれば、上部載置部と野縁受けとが干渉しない場所で上部載置部を野縁受け側に向けて、爪部を野縁のリップ部に係止し、その係止状態を保持しつつクリップをスライドさせて、上部載置部を野縁受けの上壁部の上面に載置することができるため、支持片部の爪部と上部載置部との間隔を野縁受けの縦壁部の縦方向長さと同一にして、上部載置部の上壁部への載置状態でがたを無くすことができる。さらに、野縁受けの上壁部に上部載置部を載置した状態で上部載置部の上壁部から延出している先端部分を折り曲げて、固定ねじを縦壁部に係合してクリップを固定することができる。固定ねじの縦壁部への係合は、例えばタッピングねじを支持片部及び先端部分の少なくとも一方にねじ込みまたは貫通し、かつ縦壁部にねじ込むことであってよい。このように、支持片部及び先端部分の少なくとも一方を野縁受けの縦壁部に固定することができることから、支持片部及び先端部分の縦壁部に隣接する方を固定作業の対象とするという片側作業が可能となり、作業性がよい。また、野縁受けの延在方向に複数のクリップを配設する場合に、支持片部及び先端部が交互に位置するように取り付けることができ、バランス良く荷重を受けることが可能となる。なお、固定ねじとしてボルトを用いてもよく、その場合には、縦壁部を間にして支持片部及び先端部分に貫通させたボルトにナットを掛けることにより、ボルトが縦壁部と係合する。
【００１０】
本発明の他の側面は、前記上部載置部の前記先端部分を折り曲げる曲折線上に開口部が設けられていることを特徴とする。
【００１１】
この構成によれば、先端部分の折り曲げ作業を容易に行うことができる。
【００１２】
本発明の他の側面は、前記支持片部及び前記先端部分の前記固定ねじを貫通させる部分に、凹部または孔が設けられていることを特徴とする。
【００１３】
この構成によれば、凹部や孔を固定ねじのガイドとすることができ、クリップを野縁受けに固定するための固定ねじをねじ込む作業が容易になる。
【００１４】
本発明の他の側面は、前記支持片部に、面強度を高めるための凹凸部が形成されていることを特徴とする。
【００１５】
この構成によれば、板状体により形成されたクリップの支持片部の強度を高めることができ、クリップの変形によるがた付きの増大を抑制し得る。
【００１６】
本発明の他の側面は、前記爪部が、Ｌ字状断面を有する形状に形成されていることを特徴とする。
【００１７】
この構成によれば、爪部の強度を高めることができ、爪部の変形によるがた付きの増大を抑制し得る。
【発明の効果】
【００１８】
このように本発明によれば、野縁と野縁受けとを結合するクリップにおいて、簡素な構成でがた付きを生じ難くすることができるばかりでなく、クリップの野縁受けへの取り付けを容易に行うことができるとともに、野縁と野縁受けとのがた付きの無い固定を実現し得る。
【図面の簡単な説明】
【００１９】
【図１】本発明が適用された野縁受け及び野縁の設置状態を示す部分斜視図
【図２】本発明に基づくクリップを示す斜視図
【図３】（ａ）はクリップを野縁に取り付ける前の状態を示す斜視図、（ｂ）はクリップの爪部を野縁内に突入させた状態を示す斜視図
【図４】クリップの野縁受けへの取り付け状態を示す断面図
【図５】図４の矢印Ｖから見た正面図
【図６】図１の要部を拡大して示す図
【図７】図６の矢印VIIから見た斜視図
【図８】第２の実施形態を示す図４に対応する図
【発明を実施するための形態】
【００２０】
以下、本発明の実施の形態を、図面を参照しながら説明する。図１に示されるように、本発明のクリップ１は、建築構造体としての躯体天井部２の下方にて略水平方向に延在する野縁受け３と、野縁受けの３の下側にて平面視で野縁受け３に対して略直交して延在するようにされた野縁４とを結合するためのものである。野縁４の下面には例えばビスにより天井パネル５が取り付けられている。
【００２１】
なお、躯体天井部２の下面には、例えば上部を埋め込まれたアンカーボルト６が垂下状態に設けられ、アンカーボルト６の下部には板材を曲折した形状の野縁受けホルダ７が吊り下げ状態に設けられている。野縁受けホルダ７の逆Ｌ字状をなす上部が例えばナットによりアンカーボルトの任意の位置に固定されており、野縁受けホルダ７のＵ字状をなす下部により野縁受け３を下方から包み込むように支持している。アンカーボルト６及び野縁受けホルダ７は、１本の野縁受け３に対して複数設けられ、野縁受け３を複数箇所で分散して支持している。野縁受け３は、複数本のそれぞれが１つの水平面上に並列に、かつ各軸線（長手方向）が図に示す左右方向に延在するように配置されている。
【００２２】
野縁４は、平面視で野縁受け３と共に縦横の格子形状を形成するように、野縁受け３の下方にて、複数本のそれぞれが１つの水平面上に並列に、かつ各軸線（長手方向）が図に示す前後方向に延在するように配置されている。すなわち、野縁４は、野縁受け３に対して直交するように配置され、平面視で野縁受け３と交差する箇所において、クリップ１により野縁受け３と結合されている。
【００２３】
なお、野縁受け３及び野縁４はそれぞれ公知の型材であってよく、例えば亜鉛めっき鋼板やアルミ板から形成され、野縁受け３には断面コ字状のチャンネルが用いられ、野縁４には断面Ｃ字状のＣチャンネルが用いられている。なお、本発明のクリップ１の取り付け対象となり得る野縁受け３の断面形状は、コ字状に限られるものではなく、Ｉ字状や逆Ｌ字状であってもよい。図示例の野縁受け３は、躯体天井部２に対して垂下する面となる壁面を有する縦壁部３ｂと、縦壁部３ｂの上縁及び下縁から縦壁部３ｂの壁面に直交する向きにそれぞれ延出された互いに平行な上壁部３ａと下壁部３ｃとを備える。
【００２４】
クリップ１は、１枚の金属板をフォーミング加工（曲げ・プレス加工）することによって形成されている。金属板は、例えば、冷間圧延鋼板やステンレス板等の比較的弾性係数が高い板が好ましい。本発明によるクリップ１は、野縁受け３と野縁４との結合前の状態では図２に示されるように形成されている。
【００２５】
クリップ１は、図２の二点鎖線で示される野縁受け３に対して、野縁受け３の上壁部３ａの幅方向（図の前後方向）の長さよりも長い舌片状の上部載置部１１と、上部載置部１１と共にＬ字状をなすように曲折されかつ野縁受け３の縦壁部３ｂの高さ方向（図の上下方向）の長さよりも長い支持片部１２と、支持片部１２の下端部の図における左右両側にてＵ字状に曲成されることによりそれぞれ上部載置部１１側となる上方に向けて突出する一対の爪部１３とを一体に有する形状に形成されている。
【００２６】
上部載置部１１には、支持片部１２との曲折部（角）から上壁部３ａの幅方向長さだけ離間した位置に、上部載置部１１の延出方向に直交する方向に細長い八角形状の開口部１４が設けられている。また、上部載置部１１の延出方向に延在する両側縁部には、開口部１４の両側方となる位置に、それぞれ側方から開口部１４側に切り込まれた一対の切り込み部２２が設けられている。切り込み部２２は、開口部１４側に上底を向けた台形状に形成されているが、三角形状や半円形状などであってもよい。また、上部載置部１１の開口部１４より延出端側の先端部分１１ａには、その略中央部に、先端部分１１ａの表面より円環状に盛り上げられた環状凸部１５ｂにより囲まれた凹部１５が設けられている。
【００２７】
支持片部１２は、上部載置部１１側では上部載置部１１と同一幅に形成され、爪部１３側では上部載置部１１側よりも狭い幅で形成されている。支持片部１２には、その表面（図の後側に向いた面）の内側部分の略全体が凸状に押し出された平坦部を有する凸状リブ１２ａが形成されており、これにより支持片部１２の強度が高くなり、野縁受け３の高さ方向長さよりも長い支持片部１２の曲げや撓みが抑制される。
【００２８】
また、支持片部１２には、上部載置部１１との曲折部側の所定位置に、凸状リブ１２ａの表面より円形状に凹設された凹部１６が設けられている。各凹部１５・１６の中央の底壁部分にそれぞれ貫通孔１５ａ・１６ａが設けられている。
【００２９】
爪部１３は、支持片部１２の下端部の左右両側にＵ字溝１７を形成するように、左右方向に突出した後、上方に向けて立ち上がるように形成されている。さらに、爪部１３の立ち上がる部分の縁部はＬ字状断面となるように曲折されており、そのＬ字状断面形状により爪部１３の強度が高められている。
【００３０】
次に、図３を参照して、本発明によるクリップ１による野縁受け３と野縁４との結合要領を説明する。先ず、図３（ａ）に示されるように、野縁受け３の下側に平面視で野縁受け３と直交する向きに野縁４を配置し、図示されない保持手段（例えばワイヤ）により野縁４を仮止めしておく。その状態の野縁４に対してクリップ１を、図の矢印Ａに示されるように移動して、野縁４の一対のリップ部４ａ間の開口を介して野縁４内に爪部１３を突入させる。なお、両爪部１３の最外端幅は、野縁４の内幅（左右の側壁部４ｂの内寸）と略同一長さである。そのため、図に示されるように、野縁４の軸線方向（長手方向）に対して支持片部１２を斜めにしてクリップ１を野縁４に向けて移動させる。これにより、両爪部１３が両リップ部４ａをかわして両リップ部４ａより下方に至る。
【００３１】
なお、爪部１３の支持片部１２の下端からの長さは、野縁４の底壁部４ｃとリップ部４ａの下端との間隔よりも短くされている。具体的には、爪部１３が野縁４内に入った状態で、爪部１３の上端がリップ部４ａの下端よりも下に位置し得るようにされていればよい。
【００３２】
両爪部１３が野縁４内の両リップ部４ａより下方に至った後に、図３（ａ）の矢印Ｂに示されるようにクリップ１を回して、両爪部１３を野縁４の両リップ部４ａの直下に位置させる。その状態で、クリップ１を矢印Ａとは逆向きに引き上げることにより、野縁４の側壁とリップ部４ａとの間の溝に爪部１３が差し込まれる。
【００３３】
両爪部１３が野縁４の側壁とリップ部４ａとの間の溝に入った状態では、野縁受け３の縦壁部３ｂと支持片部１２とが対峙する。そして、野縁受け３の下壁部３ｃの下面に野縁４を押し当てた状態にして、図３（ｂ）の矢印Ｃに示されるようにクリップ１を野縁受け３側に移動させる。これにより、上部載置部１１を野縁受け３の上壁部３ａの上面に当接させた載置状態にすることができる。
【００３４】
上記載置状態でクリップ１を野縁受け３側にスライドさせ、支持片部１２を野縁受け３の縦壁部３ｂに当接させて、上部載置部１１を上壁部３ａの縁のところで図４の矢印Ｄに示されるように野縁受け３側に略直角に折り曲げる。このとき、上記した開口部１４が上壁部３ａの縁に対応して位置するようになり、曲折線として図２の破線で示される山折り線Ｌｍ上に開口部１４及び切り込み部２２があり、上部載置部１１の山折り線Ｌｍ上の強度が他の部分よりも低いため、上部載置部１１を容易に折り曲げることができる。これにより、クリップ１は、支持片部１２と、上部載置部１１の折り曲げられた先端部分１１ａとにより、上壁部３ａを両側から挟んだ形態となり、図４の前後方向に対するがた付きを防止し得る。なお、開口部１４及び切り込み部２２は上部載置部１１の延出方向にある程度の幅をもって設けられている。これにより、野縁受け３の形状にある程度の寸法誤差があっても、上壁部３ａの縁に合わせて先端部分１１ａを折り曲げることができ、支持片部１２と上部載置部１１とにより上壁部３ａを両側から隙間無く挟むことができる。
【００３５】
そして、図４に示されるように、例えばタッピングねじからなる固定ねじ１８を貫通孔１６ａに挿入し、縦壁部３ｂにねじ込む。これにより、クリップ１が野縁受け３に固定される。なお、上記貫通孔１６ａは固定ねじ１８をねじ込むときのガイドとして利用できるが、孔として貫通していなくてもよく、例えば凹部１６のみでもよい。また、凹部１５及び貫通孔１５ａについても同様である。貫通孔の無い凹部１５・１６のみの場合でも、凹部１５・１６の目印として固定ねじ１８の先端を凹部１５・１６の中央部に位置させることができるため、固定ねじ１８のねじ込み作業を容易にする効果を奏し得る。また、固定ねじ１８の頭が凹部１５・１６内に収まることにより、凹部１５・１６の裏面を縦壁部３ｂの壁面に密着させるまでねじ込むことができ、強固な固定状態が確保される。
【００３６】
このようにして、クリップ１により野縁受け３と野縁４とを結合することができる。クリップ１の各寸法は、図５に示されるように、野縁受け３と野縁４とが互いに密着状態になるように設定されている。すなわち、上部載置部１１の上壁部３ａへの当接面となる下面と爪部１３の突出端との距離Ｌ１は、野縁受け３の高さＨと野縁４の板厚ｔとの合計の長さ（＝Ｈ＋ｔ）と略同一である。また、両突部１３の最外端間の距離Ｌ２は、野縁４の図５における左右の両側壁の内寸Ｄと略同一である。
【００３７】
図６は図１に対応する要部拡大斜視図であり、図７は図６の矢印VII線から見た図６の裏側の斜視図である。これら図６・７及び図１に示されるように、各クリップ１は、野縁受け３の長手方向に対して向きが互い違いになるように並べられている。このように配置することにより、荷重が分散され、野縁受け３に対する偏荷重を抑制することができる。
【００３８】
クリップ１には、上記したように上部載置部１１の先端部分１１ａと支持片部１２とにそれぞれ貫通孔１５ａ・１６ａ（凹部１５・１６）が設けられており、縦壁部３ｂに対してクリップ１の向きを変えても、固定ねじ１８をねじ込むガイドとなる各貫通孔１５ａ・１６ａ（凹部１５・１６）のいずれか一方が縦壁部３ｂ側に位置する。これにより、支持片部１２及び上部載置部１１（先端部分１１ａ）の縦壁部３ｂに隣接する方を固定ねじ１８により縦壁部３ｂに固定することができる。
【００３９】
また、クリップ１の野縁受け３へのねじ固定は、上記タッピングねじによる固定ねじ１８に限られるものではない。例えば、縦壁部３ｂに、上部載置部１１を折り曲げた状態の上記各貫通孔１５ａ・１６ａを同軸に通る軸線上となる位置に貫通孔１９を設け、上壁部３ａの幅よりも長いボルト２０を図８に示されるように各貫通孔１５ａ・１６ａ・１９に挿通し、そのボルト２０の先端部１１ａから突出する端部にナット２１を掛けて、クリップ１を野縁受け３に固定するようにしてもよい。
【００４０】
なお、縦壁部３ｂに上記したように貫通孔１９を設ける必要があるが、各貫通孔１５ａ・１６ａの縦壁部３ｂに隣接する方を基準にして、例えば電動ドリルにより孔明けすることで可能である。
【００４１】
以上、本発明を、その好適実施形態の実施例について説明したが、当業者であれば容易に理解できるように、本発明はこのような実施例により限定されるものではなく、本発明の趣旨を逸脱しない範囲で適宜変更可能である。例えば、リップ部４ａの形状は上記の実施例以外に様々な形状であってよい。例えば、リップ部４ａは、側壁部４ｂの上端から先端へとかけて、底壁部４ｃと相反する側に凸となる逆Ｕ字状に湾曲した形状や、側壁部４ｂの上端から内向きに略直角に曲折されてひさし状に延出した形状であってもよい。また、予め上部載置部１１を支持片部１２に対して略直角に曲折したものを用いたが、上部載置部１１と支持片部１２とを１枚の板状に伸ばしたものを用意し、上部載置部１１に該当する部分を把持しつつ上壁部３ａに倒す向きに曲折するようにしてもよい。その後は、上記と同様である。また、先端部分１１ａを折り曲げ易くするための開口部として、上記実施形態では八角形状の開口部１４を設けたが、八角形に限られるものではなく、例えば六角形や菱形やスロット形状であってもよい。また、開口部の両端に切り欠き溝を設けるとよく、これにより、より一層折り曲げ易くすることができる。また、上記実施形態に示した構成要素は必ずしも全てが必須なものではなく、本発明の趣旨を逸脱しない限りにおいて適宜取捨選択することが可能である。
【符号の説明】
【００４２】
１…クリップ、３…野縁受け、３ａ…上壁部、３ｂ…縦壁部、４…野縁、４ａ…リップ部、４ｂ…側壁部、４ｃ…底壁部、１１…上部載置部、１１ａ…先端部分、１２…支持片部、１２ａ…凸状リブ、１３…爪部、１４…開口部、１５・１６…凹部、１５ａ・１６ａ…孔、１８…固定ねじ
【図１】
2014015799.tif 000003
【図２】
2014015799.tif 000004
【図３】
2014015799.tif 000005
【図４】
2014015799.tif 000006
【図５】
2014015799.tif 000007
【図６】
2014015799.tif 000008
【図７】
2014015799.tif 000009
【図８】
2014015799.tif 000010